(57)【特許請求の範囲】
【請求項１】
多数のスラットホルダ（２２）が支持駆動部（１０）に連結され、各スラットホルダ（２２）には着脱自在にスラット（２６）が保持され、支持駆動部（１０）の駆動によってスラットホルダ（２２）が回転してスラット（２６）が開閉し、全閉時には全スラット（２６）が閉鎖面（２８）を構成し、且つ隣り合うスラット（２６）との間で互いの端部が重なり合う状態となるブラインドであって、
少なくとも１つのスラットホルダ（２２Ａ）の一端（２２ａ）は、全閉状態のスラット（２６）に作用可能な方向の外力によって支持駆動部（１０）に対して取り外し可能に連結されることを特徴とするブラインド。
【請求項２】
前記少なくとも１つのスラットホルダ（２２Ａ）は、隣り合うスラット（２６）に対してその端部が下側に重なり合うことのない先頭スラット（２６Ａ）を保持するものであることを特徴とする請求項１記載のブラインド。
【請求項３】
前記少なくとも１つのスラットホルダ（２２Ａ）の一端（２２ａ）は、スラット（２６Ａ）に加えられる下方向からの力により支持駆動部（１０）から取り外し可能であることを特徴とする請求項１または２記載のブラインド。
【請求項４】
前記スラットホルダ（２２）の一端（２２ａ）は支持駆動部（１０）の可動部（２０）に連結され、スラットホルダ（２２）の他端（２２ｂ）は支持駆動部（１０）の固定部（２４）に回転可能に支持されており、前記少なくとも１つのスラットホルダ（２２Ａ）の一端（２２ａ）は支持駆動部（１０）の可動部（２０）に対して取り外し可能に連結されており、可動部（２０）に対して取り外されると、他端（２２ｂ）の固定部（２４）に支持される部分を回転中心としてスラットホルダ（２２）が回転可能であることを特徴とする請求項１ないし３のいずれか１項に記載のブラインド。
【請求項５】
前記スラットホルダ（２２）の他端（２２ｂ）は固定部（２４）に対して着脱自在に支持されることを特徴とする請求項４記載のブラインド。
【発明の詳細な説明】
【技術分野】
【０００１】
本発明は、多数のスラットが回転可能に支持されて、全閉時に隣り合うスラットとの間で互いの端部が重なり合うブラインドに関する。
【背景技術】
【０００２】
従来、この種のブラインドとしては、特許文献１に記載されたものが知られている。
【０００３】
特許文献１に示されるブラインドは、スラットを支持した多数のスラットホルダを枠体にそれぞれ回動可能に支持するとともに、各スラットホルダをリンク機構で接続して各スラットを同位相で回動させ、全開時には各スラットが平行に位置するようにスラットホルダを回動し、全閉時は各スラットが平板状に連結されるようにスラットホルダを回動して遮光するようになっている。
【０００４】
スラットの裏面には先端をスラット裏面に沿って互いに対向する方向に折り曲げ形成した第一及び第二の係止辺が垂立形成され、スラットホルダには第一の係止辺を掛け止めする第一の掛け止め部が形成されるともに操作レバーが回動可能に支持されており、操作レバーにはその回動に基づいて第二の係止辺を掛け止めする第二の掛け止め部が設けられている。スラットをスラットホルダに取り付ける際には、まず、各スラットホルダをルーバー全開時に相当する角度に回動した状態にし、その後、スラットの第一の係止辺をスラットホルダの第一の掛け止め部に掛け止めした状態で操作レバーを回動して、スラットの第二の係止辺を操作レバーの第二の掛け止め部で掛け止めすることによって行うようになっている。
【先行技術文献】
【特許文献】
【０００５】
【特許文献１】実公平７−３５０９８号公報
【発明の概要】
【発明が解決しようとする課題】
【０００６】
しかしながら、上記特許文献に記載されたブラインドにおいては、スラットの全閉時に動作不良等の不具合が発生すると、モータ等の駆動系の修理を行うことができない、という問題がある。なぜならば、スラットの全閉時には、スラットが平板状に回動されて、且つ各スラットの長手方向両端部が遮光枠の上面に当接した状態となって、遮光枠とスラットとの間に手を挿入できるだけの隙間がなく、モータ等の駆動系に達することができないからである。
【０００７】
また、スラットをスラットホルダから取り外そうとしても、スラットよりも上方にあるスラットホルダには手が届かず、操作レバーを回動することができない。
【０００８】
このため、スラット同士の重なり合う部分を無理やり開いて、操作レバーを操作する必要があるため、スラットを変形させたり、破壊させたりするという問題がある。
【０００９】
本発明はかかる課題に鑑みなされたもので、ルーバーが全閉状態でブラインドの動作不良等の不具合が生じた場合であっても、スラットの変形や破壊を抑制して、支持駆動部の修理・メンテナンスを行うことができるブラインドを提供することをその目的とする。
【課題を解決するための手段】
【００１０】
前述した目的を達成するために、請求項１記載の発明は、多数のスラットホルダが支持駆動部に連結され、各スラットホルダには着脱自在にスラットが保持され、支持駆動部の駆動によってスラットホルダが回転してスラットが開閉し、全閉時には全スラットが閉鎖面を構成し、且つ隣り合うスラットとの間で互いの端部が重なり合う状態となるブラインドであって、
少なくとも１つのスラットホルダの一端は、全閉状態のスラットに作用可能な方向の外力によって支持駆動部に対して取り外し可能に連結されることを特徴とする。
【００１１】
請求項２記載の発明は、請求項１記載のブラインドにおいて、前記少なくとも１つのスラットホルダは、隣り合うスラットに対してその端部が下側に重なり合うことのない先頭スラットを保持するものであることを特徴とする。
【００１２】
請求項３記載の発明は、請求項１または２記載のブラインドにおいて、前記少なくとも１つのスラットホルダの一端は、スラットに加えられる下方向からの力により支持駆動部から取り外し可能であることを特徴とする。
【００１３】
請求項４記載の発明は、請求項１ないし３のいずれか１項に記載のブラインドにおいて、前記スラットホルダの一端は支持駆動部の可動部に連結され、スラットホルダの他端は支持駆動部の固定部に回転可能に支持されており、前記少なくとも１つのスラットホルダの一端は支持駆動部の可動部に対して取り外し可能に連結されており、可動部に対して取り外されると、他端の固定部に支持される部分を回転中心としてスラットホルダが回転可能であることを特徴とする。
【００１４】
請求項５記載の発明は、請求項４記載のブラインドにおいて、前記スラットホルダの他端は固定部に対して着脱自在に支持されることを特徴とする。
【発明の効果】
【００１５】
本発明によれば、スラットが全閉状態であっても、そのスラットホルダに保持されるスラットに外力を与えて、スラットホルダの一端を支持駆動部から取り外すことができる。このため、そのスラットホルダに保持されたスラットと隣り合うスラットとの間に手を挿入可能な隙間ができるために、その隙間を利用して直接動作不良の原因を修理するか、または、その隙間を利用してスラットをスラットホルダから取り外し、または、その隙間を利用して順次隣り合うスラットホルダからスラットを取り外して、支持駆動部の修理またはメンテナンスを行うことが可能になり、スラットを変形や破壊させることなく、動作不良等の不具合を解消することができる。
【００１６】
請求項２記載の発明によれば、先頭スラットを保持するスラットホルダの一端を支持駆動部に対して取り外し可能に連結することで、先頭スラットに外力を与えたときに、全スラットに与える負担が少なく、スラットホルダの一端を支持駆動部から取り外すことができるようになる。
【００１７】
請求項３記載の発明によれば、スラットに加えられる下方向からの力によってスラットホルダの一端を取り外すために、重力のような常時作用する力によってスラットホルダの一端が支持駆動部から不用意に外れることを防ぐことができる。
【００１８】
請求項４記載の発明によれば、スラットホルダの他端が固定部に回転可能に支持されているため、スラットホルダの一端を可動部から取り外しても、スラットホルダの他端が固定部に支持される部分を回転中心として回転し、スラットを回転させることができるため、回転させたスラットと隣り合うスラットとの間に手を挿入できるだけの隙間を確保することができる。また、スラットホルダの一端が可動部から離れても他端が固定部に支持されるため、スラットホルダが落下することを防止することができる。
【００１９】
請求項５記載の発明によれば、スラットホルダの他端が固定部に対して着脱自在とされているため、全閉時にスラットの端部同士が重なり合っていても、スラットホルダの他端を固定部から取り外すことで、スラットホルダ及びそれに保持されるスラットが上下に動くことができるようになるため、スラットをスラットホルダから取り外しやすくなる。
【図面の簡単な説明】
【００２０】
【図１】本発明の実施形態に係るブラインドのスラット全開時における側面図である。
【図２】本発明の実施形態に係るブラインドのスラット全閉時における側面図である。
【図３】各スラットの回転軌跡を表す側面図である。
【図４】スラット全閉時におけるブラインドの側面図の部分拡大図である。
【図５Ａ】スラット全閉時のブラインドを示す要部側面図である。
【図５Ｂ】先頭のスラットホルダの一端を可動部から取り外した状態を示すブラインドの要部側面図である。
【図５Ｃ】先頭から二番目のスラットホルダの他端を固定部から取り外した状態を示すブラインドの要部側面図である。
【図５Ｄ】先頭から二番目のスラットホルダからスラットを取り外している状態を示すブラインドの要部側面図である。
【図６】スラット全閉時におけるスラットホルダ付近の斜視図である。
【図７】先頭のスラットホルダの一端を可動部から取り外し、先頭から２番目のスラットホルダの他端を固定部から取り外し、先頭から２番目のスラットホルダからスラットを取り外す手順及び状態を示す斜視図である。
【発明を実施するための形態】
【００２１】
以下、図１ないし図７を参照して、本発明の実施形態を説明する。
【００２２】
このブラインドは例えば天窓に用いられるものである。図１に示すように、構造物に対してサポートボルトＢによってブラインドの支持駆動部１０が吊下げられている。
【００２３】
支持駆動部１０は、フレーム１２と、モータを含むモータユニット１４とを備え、さらに、モータユニット１４には、モータの駆動により作動するリンク機構１６が連結されており、リンク機構１６は、モータの出力軸に一端部が固定された第１ジョイントバー１７と、第１ジョイントバー１７の他端に一端が枢着された第２ジョイントバー１８とからなり、第２ジョイントバー１８の他端にはスイングレール（可動部）２０が枢着されている。スイングレール２０には、その長手方向に所定間隔をあけて多数のスラットホルダ２２の一端から突出した軸部２２ａが回転中心点Ｄを中心に回転可能に枢着されて、連結される。
【００２４】
さらに、フレーム１２には、スラットホルダ２２に対応して下方へ垂直に延びる多数の支持バー（固定部）２４が設けられており、各支持バー２４には、対応するスラットホルダ２２方向に支持部２４ａが突出している。そして、各支持部２４ａには、対応するスラットホルダ２２の他端に形成された受け部２２ｂが嵌め合わされて回転可能及び着脱自在に支持される。受け部２２ｂは横方向に開放されている（図５Ｄ参照）。
【００２５】
各スラットホルダ２２にはスラット２６が着脱自在に保持される。詳細には、スラット２６のスラットホルダ２２への取付面には、取付面に沿って互いに対向する方向に折曲する第１係止片２６ａ及び第２係止片２６ｂがそれぞれ突設されており、スラットホルダ２２には、第１係止片２６ａを掛け止めする掛け止め部２２ｃが形成されている。また、スラット２６の第２係止片２６ｂは、各スラットホルダ２２の本体に揺動可能にそれぞれ設けられたストッパフック２２ｄに掛け止めされ、ストッパフック２２ｄがスラットホルダ２２の受け部２２ｂに接近する側に揺動した際には、ストッパフック２２ｄが第２係止片２６ｂを掛け止めするため、スラット２６がスラットホルダ２２に保持され、ストッパフック２２ｄが反対側の受け部２２ｂに離反する側に揺動した際には、ストッパフック２２ｄによる第２係止片２６ｂの掛け止めが解除されるため、スラット２６がスラットホルダ２２から取り外し可能となる。
【００２６】
さらに、構造物にはスラット２６の下方に配置され、スラット２６の周囲を覆う遮蔽枠３０が固定される。
【００２７】
モータユニット１４のモータが回転してリンク機構１６の第１ジョイントバー１７が回転すると、第２ジョイントバー１８の移動に伴いスイングレール２０が並進運動を行い、各スラットホルダ２２及び各スラット２６は、支持部２４ａの軸心である回転中心点Ｃを中心として同位相で回転運動を行い、この回転運動によって、図３に示す回転軌跡を描いて開閉動作を行う。すなわち、各スラット２６が互いに平行になって隣り合うスラット２６同士の間に隙間が形成される全開状態（図１）と、各スラット２６が同一面上にあって閉鎖面２８を構成し、隣り合うスラット２６同士の間及び遮蔽枠３０との間に隙間がない全閉状態（図２）との間で変位することができる。そして、図４に示すように、全閉状態において、隣り合うスラット２６同士の間に隙間がないようにするために、各スラット２６の端部は、隣り合うスラット２６の端部と重なり合うようになっている。
【００２８】
ところで、全閉状態において、各スラットが隣り合うスラット２６と重なり合うときに、スラット列の一端部にあるスラットは、その端部が隣り合うスラットに対して下側に重なり合うことがない。このスラットを先頭スラット２６Ａと称し、その先頭スラット２６Ａを保持するスラットホルダを先頭スラットホルダ２２Ａと称するものとすると、先頭スラットホルダ２２Ａにおいては、その一端にある軸部２２ａがスイングレール２０の先端に設けられた支持凹部２０ａに着脱可能に嵌め合わされて回転可能に連結されている。支持凹部２０ａは上斜め向きに開放されている(図５Ｂ参照)。
【００２９】
次に、動作不良等の不具合が生じ、モータ等の修理・メンテナンスを行う場合の手順について、図５ＡからＤないし図７を用いて説明する。
【００３０】
図５Ａ及び図６に示すような全閉状態、あるいは隣り合うスラット間の隙間に手を挿入することができない程度に各スラット２６が開いている状態の場合、先頭スラット２６Ａの下面の隣り合う２番目のスラット２６寄りの部分を下方から押し上げて、隣り合うスラット２６から引き離すようにする。これにより、図５Ｂ中の矢印ａ及び図７中の矢印ａに示すように、先頭スラットホルダ２２Ａの軸部２２ａがスイングレール２０の支持凹部２０ａから外れるため、先頭スラットホルダ２２Ａは受け部２２ｂのみが支持バー２４の支持部２４ａに連結された状態となり、回転中心点Ｃを中心に回転自在となる。これにより、先端スラット２６Ａをさらに押し上げると回転中心点Ｃを中心に先頭スラットホルダ２２Ａが回転し、先頭スラット２６Ａとこれに隣り合う２番目のスラット２６との間に手を挿入できるだけの隙間ができる。
【００３１】
この隙間に手を入れて修理やメンテナンスを行ってもよいが、まだ不具合の原因個所に達することができない場合には、先頭から２番目のスラットホルダ２２のストッパフック２２ｄを操作してスラット２６を取り外す。この場合、スラット２６の取り外しをさらに容易にするために、この隙間を利用して、先頭から２番目のスラットホルダ２２の受け部２２ｂから支持レール２４の支持部２４ａが脱出するように双方に力を加えて、図５Ｃ中の矢印ｂ及び図７中の矢印ｂに示すように、２番目のスラットホルダ２２の受け部２２ｂを支持部２４ａから外す。これにより、２番目のスラットホルダ２２は軸部２２ａのみがスイングレール２０に連結された状態となり、軸部２２ａの回転中心点Ｄを中心に回転自在となる。
【００３２】
そして、先頭のスラット２６と先頭から２番目のスラット２６の間の隙間に手を入れて、図５Ｄ中の矢印ｃ及び図７中の矢印ｃで示すように、ストッパフック２２ｄを受け部２２ｂから離反するように揺動させる。これにより、ストッパフック２２ｄによる第２係止片２６ｂの掛け止めが解除されるため、スラット２６の先端は図５Ｄ中の矢印ｄ方向に移動する。尚、このとき、ストッパフック２２ｄによる第２係止片２６ｂの掛け止めが解除されても、第１係止片２６ａがスラットホルダ２２の掛け止め部２２ｃに掛り止めされているため、スラット２６がスラットホルダ２２から直ちに脱落することを防ぐことができる。その後、スラット２６の第１係止片２６ａをスラットホルダ２２の掛け止め部２２ｃから外して、スラット２６をスラットホルダ２２から取り外す。このときスラット２６が比較的自由に上下に動くため、簡単に取り外すことができる。
【００３３】
以上の作業を先頭から３番目以降のスラットホルダ２２及びスラット２６に対して、モータユニット１４等に手が届くようになるまで順次行うことにより、モータユニット１４等の不具合の原因個所に達することができるようになり、スラット２６を変形や破壊させることなく、モータユニット１４等の修理やメンテナンスを行うことができる。
【００３４】
先頭スラットホルダ２２Ａの軸部２２ａは下方からの力でスイングレール２０から取り外すことができるために、常時作用する重力等の力で不用意に外れることはない。
【００３５】
この実施形態においては、先頭スラットホルダ２２Ａの軸部２２ａのみをスイングレール２０から取り外し可能としており、先頭スラット２６Ａは隣り合うスラットに対して上側から重なり合っているために、先頭スラット２６Ａを下方から押し上げたときに、先頭スラット２６Ａ及び他のスラット２６に負荷が少なく、スラット２６の変形を抑えることができる。
【００３６】
但し、これに限定されるものではなく、全てのまたは先頭スラットホルダ以外または先頭スラットホルダを含む一部のスラットホルダ２２の軸部２２ａを連結するスイングレール２０の部分に軸部２２ａを着脱可能とする開口を設けて、全てのあるいは一部のスラットホルダ２２の軸部２２ａをスイングレール２０から着脱可能としてもよい。
【００３７】
また、この実施形態では、全閉状態にあるスラット２６に作用可能な方向の力でスラットホルダ２２をスイングレール２０に対して取り外し可能としていたが、これに限るものではなく、全閉状態にあるスラット２６に作用可能な方向の力でスラットホルダ２２を固定部である支持バー２４に対して取り外し可能とすることでもよい。
【符号の説明】
【００３８】
１０  支持駆動部
２０  スイングレール（可動部）
２２  スラットホルダ
２２Ａ  先頭スラットのスラットホルダ
２２ａ  軸部（一端）
２２ｂ  受け部（他端）
２４  支持バー（固定部）
２４ａ  支持部
２６  スラット
２６Ａ  先頭スラット
２８  閉鎖面
【図１】
0005391453.tif 000002
【図２】
0005391453.tif 000003
【図３】
0005391453.tif 000004
【図４】
0005391453.tif 000005
【図５Ａ】
0005391453.tif 000006
【図５Ｂ】
0005391453.tif 000007
【図５Ｃ】
0005391453.tif 000008
【図５Ｄ】
0005391453.tif 000009
【図６】
0005391453.tif 000010
【図７】
0005391453.tif 000011